(57)【要約】【課題】  カード用電池の廃棄対策と切断対策。【解決手段】  電池内蔵カード１００は、薄型電池１Ａと、薄型電池１Ａを挟んで支持する複数枚の樹脂シート３１，３３，３５，３７からなるカード本体３９と、カード本体３９内に薄型電池１Ａとともに配置されて、カード本体３９の切断を試みたときに薄型電池１Ａが一緒に切断されることを妨げる切断妨害部材１５とを備える。【選択図】  図２
2006318074.tif 000002
【特許請求の範囲】
【請求項１】
薄型電池（１Ａ）と、
前記薄型電池（１Ａ）を挟んで支持する複数枚のシート状部品（３１，３３，３５，３７）からなるカード本体（３９）と、
前記カード本体（３９）内に前記薄型電池（１Ａ）とともに配置されて、前記カード本体（３９）の切断時に前記薄型電池（１Ａ）が一緒に切断されることを妨げる切断妨害部材（１５）と、
を備えたことを特徴とする電池内蔵カード（１００）。
【請求項２】
前記切断妨害部材（１５）が前記カード本体（３９）の外周縁と前記薄型電池（１Ａ）との間に配置されている請求項１記載の電池内蔵カード（１００）。
【請求項３】
前記切断妨害部材（１５）は、前記カード本体（３９）内で前記薄型電池（１Ａ）を包囲する枠形態、もしくは前記薄型電池（１Ａ）の外周部分に一部または全部が重ね合わさった枠形態をなすものである請求項１または２記載の電池内蔵カード（１００）。
【請求項４】
前記切断妨害部材（１５）が下記（ａ）（ｂ）（ｃ）（ｄ）のいずれかの素材で構成された請求項１ないし３のいずれか１項に記載の電池内蔵カード（１００）。
（ａ）フッ素樹脂、フェノール樹脂、ポリカーボネート樹脂、高密度ポリエチレン樹脂、ポリプロピレン樹脂、ＡＢＳ樹脂、メタクリル樹脂、アセタール樹脂、ポリアミド樹脂、エポキシ樹脂、ポリフェニレンスルフィド樹脂およびポリイミド樹脂からなるグループより選択される一種の樹脂、または上記グループより選択される二種以上の樹脂を含む複合樹脂。
（ｂ）ガラス、カーボン、金属、セラミックおよびアラミド繊維のグループより選択される一種または二種以上の強化材料を樹脂基材中に内包した強化プラスチック、もしくは同強化材料を樹脂基材の表面上に定着させた強化プラスチック。
（ｃ）単体金属または合金。
（ｄ）ボロン繊維、炭化珪素繊維およびアルミナ繊維のグループから選択される高強度繊維。
【請求項５】
発電作用をもたらす要素（４，５，６，７，９）を含む電池本体部（１４）と、
前記電池本体部（１４）よりも薄肉であって、該電池本体部（１４）の周囲に形成されて電池本体部（１４）内の気密を保持するシール部（１１）と、
前記シール部（１１）に取り付けられて該シール部（１１）の切断困難性を高める切断妨害部材（２５）と、
を備えたことを特徴とするカード用薄型電池（１０Ａ）。
【請求項６】
前記電池本体部（１４）の最大厚さをＤ１とし、前記シール部（１１）と前記切断妨害部材（２５）との合計厚さをＤ２としたとき、Ｄ１≦Ｄ２を満足する請求項５記載のカード用薄型電池（１０Ａ）。
【請求項７】
薄型電池（１Ａ）と、前記薄型電池（１Ａ）を挟んで支持する複数枚のシート状部品（３１，３３，３５，３７）からなるカード本体（３９）とを備え、前記薄型電池（１Ａ）が配置されている箇所を避けて前記カード本体（３９）にマーキング（５１，５３）が施されていることを特徴とする電池内蔵カード（１０１，１０２）。
【請求項８】
前記マーキング（５３）が前記カード本体（３９）の一辺から向かい合う辺に跨って形成された、または一辺から隣接する他辺に跨って形成されたエンボス（５３）である請求項７記載の電池内蔵カード（１０２）。
【請求項９】
薄型電池（１Ａ）と、前記薄型電池（１Ａ）を挟んで支持する複数枚のシート状部品（３１，３３，３５，３７）からなるカード本体（３９）と、前記カード本体（３９）内において前記薄型電池（１Ａ）に接続し、前記カード本体（３９）の予め定められた位置を切断することを条件として前記薄型電池（１Ａ）の放電を促進する放電回路部（４１）と、を備えたことを特徴とする電池内蔵カード（２００，２０１）。
【請求項１０】
薄型電池（１Ａ）と、前記薄型電池（１Ａ）を挟んで支持する複数枚のシート状部品（３１，３３，３５，３７）からなるカード本体（３９）と、前記カード本体（３９）内において前記薄型電池（１Ａ）から給電を受けるとともに当該電池内蔵カード（２０１）の外部からアクセスされることに基づいて情報の読書きを行なう記録手段（１７）と、前記カード本体（３９）の予め定められた位置を切断することを条件として前記薄型電池（１Ａ）から給電を受けつつ前記記録手段（１７）に記録されている情報を消去する情報消去手段（１７，４１）と、を備えたことを特徴とする電池内蔵カード（２０１）。
【発明の詳細な説明】
【技術分野】
【０００１】
本発明は、電池を内蔵したカードと、カードに内蔵するのに適した薄型電池に関する。
【背景技術】
【０００２】
たとえば、近年普及しつつある非接触型ＩＣカードは電磁誘導による起電力を利用するものが多いが、多機能化を図るために内蔵電源を設ける試みもある。下記特許文献１，２に開示されている電池はペーパー型電池と呼ばれ、ＩＣカードやアクティブ型ＲＦＩＤ等への需要拡大が見込まれている。
【特許文献１】特許第２９３５４２７号公報
【特許文献２】特開平８−０５５６２７号公報
【発明の開示】
【発明が解決しようとする課題】
【０００３】
従来、磁気カードの使用期限が到来した場合、ユーザは磁気カードをハサミで切断して不燃物として廃棄していた。これに対し、ＩＣカードは業者（発行元）が回収する方式が一般化しつつある。ただし、磁気カードと同じようにハサミで切断して廃棄するユーザもいると考えられる。
【０００４】
内蔵電源を持たないカードの場合には、情報漏洩の問題を除けば、ハサミで切断して廃棄することに大した問題が無いかもしれない。しかしながら、電池内蔵カードの場合には、カードと一緒に電池が切断される危険性がある。業者による回収が一般的となったとしても、ついついハサミで切断してしまうユーザの存在を完全には否定できない。そのため、電池内蔵カードの安全対策が十分に過ぎることはない。
【０００５】
また、電池を内蔵する対象が音声再生機能付きバースデーカードのように重要な個人情報を含まない場合もある。このようなカードの場合は、なおさらユーザが安易に切断および廃棄してしまう可能性がある。
【０００６】
本発明の課題は、廃棄対策や切断対策が施された電池内蔵カードと、カードに内蔵するのに適した薄型電池を提供することにある。
【課題を解決するための手段および発明の効果】
【０００７】
上記課題を解決するために本発明の電池内蔵カードは、薄型電池と、薄型電池を挟んで支持する複数枚のシート状部品からなるカード本体と、カード本体内に薄型電池とともに配置されて、カード本体の切断時に薄型電池が一緒に切断されることを妨げる切断妨害部材と、を備えたことを特徴とする。
【０００８】
上記本発明は、薄型電池の内蔵箇所の強度を切断妨害部材で強化する点に特徴がある。この特徴によれば、ハサミやカッター等の切断器具でカード本体を切断する際に、切断妨害部材に切断器具の刃が差し掛かると、少なくとも切断器具の刃が先に進み難くなる。この結果、ユーザに対して、薄型電池が入っている部分を切断してはならないことをアピールすることができる。また、切断妨害部材が適度な硬さを持っている場合には、小児等の被監督者が誤って切断することを十分に防ぐことができる。
【０００９】
好適な態様において、上記した切断妨害部材は、カード本体の外周縁と薄型電池との間に配置されたものとすることができる。このようにすれば、切断器具の刃は、薄型電池に差し掛かるよりも必ず先に切断妨害部材に接触する。切断器具がスムーズに進まなくなれば、ユーザはカードの切断操作を躊躇ないし諦めることとなる。
【００１０】
また、切断妨害部材は、カード本体内で薄型電池を包囲する枠形態、もしくは薄型電池の外周部分に一部または全部が重ね合わさった枠形態をなすものとすることができる。このようにすれば、切断器具の刃が薄型電池の周囲のどの方向から到来したとしても、薄型電池に差し掛かる前に必ず切断妨害部材に接触することになる。
【００１１】
ところで、上記のごとき切断妨害部材は、カードの製造時にカード本体に組み込む部品として捉えることもできるし、薄型電池を構成する一部品として捉えることもできる。すなわち、課題を解決するために本発明のカード用薄型電池は、発電作用をもたらす要素を含む電池本体部と、電池本体部よりも薄肉であって、該電池本体部の周囲に形成されて電池本体部内の気密を保持するシール部と、シール部に取り付けられて該シール部の切断困難性を高める切断妨害部材と、を備えたことを主要な特徴とする。
【００１２】
他の一つの局面において、本発明の電池内蔵カードは、薄型電池と、薄型電池を挟んで支持する複数枚のシート状部品からなるカード本体とを備え、薄型電池が配置されている箇所を避けてカード本体にマーキングが施されていることを特徴とする。このようなマーキングをカード本体に施すことにより、切断に好適な箇所をユーザに直接示すことができる。
【００１３】
具体的に、上記したマーキングは、カード本体の一辺から向かい合う辺に跨って形成された、または一辺から隣接する他辺に跨って形成されたエンボスとすることができる。エンボスに沿ってカードが容易に破断可能であるならば、ユーザはわざわざハサミ等の切断器具でカードを切断しようとは考えない。この結果、薄型電池の内蔵箇所がハサミ等の切断器具で切断されることを防止できる。
【００１４】
他の一つの局面において、本発明の電池内蔵カードは、薄型電池と、薄型電池を挟んで支持する複数枚のシート状部品からなるカード本体と、カード本体内において薄型電池に接続し、カード本体の予め定められた位置を切断または破断することを条件として薄型電池の放電を促進する放電回路部と、を備えたことを主要な特徴とする。
【００１５】
上記本発明の電池内蔵カードによれば、カードが使用済みとなった場合に、放電回路部を機能させて薄型電池の残存電力を消費することが可能となる。たとえば、カードの隅を僅かに切断することによって、薄型電池の自己放電を小さく抑えるカード使用状態から、該カード使用状態よりも薄型電池の自己放電を高めたカード使用済み状態に変化するように、上記放電回路部を構成することができる。このようにすれば、ユーザは放電回路部の存在を一切意識することなく、薄型電池の完全放電を速めることが可能である。
【００１６】
たとえば、負極活物質に金属リチウムを用いたリチウム一次電池の場合、安全上懸念されるのは、アルカリ金属であるリチウムが水と反応して強アルカリである水酸化リチウムを生成することである。強アルカリが目に入ったりすると、目が致命的なダメージを負う可能性がある。しかしながら、負極のリチウムが完全に消費されてしまえば、リチウムと水との反応による水酸化リチウムの生成を防ぐことができる。リチウム一次電池は、自己放電が極めて小さいので単に放置するだけでなく、本発明のごとく、不要となった場合には積極的に放電させるのが好ましい。完全に放電した状態であれば、不燃物として廃棄したときの安全性を十分確保できる。
【００１７】
また、カード廃棄時における情報漏洩の問題に対しては、次のような電池内蔵カードを提案することができる。その電池内蔵カードは、薄型電池と、カード本体と、カード本体内において薄型電池から給電を受けるとともに当該電池内蔵カードの外部からアクセスされることに基づいて情報の読書きを行なう記録手段と、カード本体の予め定められた位置を切断することを条件として薄型電池から給電を受けつつ記録手段に記録されている情報を消去する情報消去手段と、を備える。このような電池内蔵カードによれば、カードの一部を切断するという極めて簡単な手順を以って記録手段に記録されている情報を消去したのちに廃棄することが可能であり、ユーザにとって非常に利便性に優れる。
【００１８】
なお、本明細書中において“カード”という用語は、クレジットカードやキャッシュカードのような情報記録媒体のみならず、磁気カードのようにＩＣチップを持たないカード、さらには葉書、写真など紙製のカード、方形以外の形状のカードを含む広義の意味で用いる。つまり、特に言及しない限り、“カード”＝“薄板状またはシート状のもの”を示す。また、“カード”はハサミまたはカッターを用いて切断することが可能であるものとする。
【発明を実施するための最良の形態】
【００１９】
以下、添付の図面を参照しつつ本発明の実施形態について説明する。
図１は本発明の電池内蔵カードの一実施形態であるＩＣカードのブロック図である。ＩＣカード１００は、薄型電池１Ａ、ＩＣモジュール１７および表示部１９を備える。ＩＣモジュール１７は、ＩＣチップ等の電子部品がモジュール化されたものである。薄型電池１Ａは、たとえばリチウム一次電池であり、ＩＣモジュール１７および表示部１９に電力を供給する。また、無線通信によるデータの送受信を行なうためのアンテナコイル部（図示省略）等を設けることにより、ＩＣカード１００を非接触型の情報記録媒体として構成することが可能である。
【００２０】
図２は図１のＩＣカード１００の分解斜視図である。ＩＣカード１００は、第１オーバシート３１、コアシート３３、インナシート３５および第２オーバシート３７からなるシート状部品群がこの順番に積層されたカード本体３９を備える。本実施形態では四層品としているが、第１オーバシート３１とコアシート３３との間にインナシートをさらに一枚挟んだ五層品としてもよい。カード本体３９の内部には、コアシート３３の一部をくり貫くことにより、薄型電池１Ａおよび切断妨害部材１５を収容するためのキャビティ３３ａが形成されている。切断妨害部材１５は、カード本体３９の切断時に薄型電池１Ａが一緒に切断されることを妨げる役割を担う。
【００２１】
図３にＩＣカード１００の横断面図、図４に縦断面図を示す。図３および図４に示すごとく、平面視で方形状のキャビティ３３ａには、薄型電池１Ａとともに切断妨害部材１５が配置されている。切断妨害部材１５は、薄型電池１Ａを包囲する大きさの枠形態を有したシート状の部品である。薄型電池１Ａの全周を切断妨害部材１５で囲うことにより、カード本体３９の如何なる方向からハサミを入れた場合であっても、薄型電池１Ａに差し掛かるよりも必ず先に切断妨害部材１５にハサミの刃が入る。この結果、薄型電池１Ａがスムーズに切断されてしまうことを妨害できる。なお、薄型電池１Ａと切断妨害部材１５は、接着剤でインナシート３５に固定されている。薄型電池１Ａのリード端子６ｔ，７ｔは、インナシート３５に実装された回路の端子（図示省略）に接続されている。
【００２２】
また、図３および図４に示す実施形態においては、切断妨害部材１５と薄型電池１Ａとが重ならない配置としているが、切断妨害部材１５の内周部分が薄型電池１Ａの外周部分に重なる配置としてもよい。
【００２３】
カード本体３９のオーバシート３１，３７、コアシート３３、インナシート３５を構成する樹脂素材としては、ＰＶＣ（ポリ塩化ビニル）、ＰＥＴ−Ｇ（米国イーストマンケミカル社の登録商標）、生分解樹脂、ＰＥＴ（ポリエチレンテレフタラート）などの熱可塑性樹脂を好適に使用できる。ＰＶＣは、１４０℃〜１５０℃で熱融着可能な樹脂であり、カード基材として一般的である。ＰＥＴ−Ｇは、ＰＶＣのように熱融着可能な非結晶性ポリエステル樹脂である。融着温度が１２０℃〜１３０℃とＰＶＣよりも低い、曲げ・捩り耐久性に優れる、燃焼生成ガスがクリーン、といった多くの有利な特徴を持つ。生分解樹脂は、融着温度が１３０〜１４０℃と比較的低温でありながら、ＰＥＴ−Ｇ同様に焼却処理時に有害ガスの発生がない。さらに、微生物の働きにより、水と二酸化炭素に分解されるため、埋立て処理が可能である。結晶性樹脂であるＰＥＴは熱融着性を有さないので、ホットメルト接着剤などの接着剤を用いることが必要である。具体的には、ＰＥＴシートの片面または両面にホットメルト接着剤層を薄く形成したものを用いることができる。ホットメルト接着剤には、ポリ酢酸ビニル、アクリル樹脂、エチレン−酢酸ビニル共重合体などの熱可塑性樹脂を主体とするものを使用できる。なお、以上に示した樹脂には、顔料、難燃剤等の添加剤を適宜加えて使用することができる。
【００２４】
これに対し、切断妨害部材１５を構成する素材としては、適度な柔軟性を確保でき、尚且つ硬質であることが、ハサミやカッターの刃を入り難くする観点から望ましい。具体的には、フッ素樹脂、フェノール樹脂、ポリカーボネート樹脂、高密度ポリエチレン樹脂、ポリプロピレン樹脂、アクリロニトリル／ブタジエン／スチレン樹脂（ＡＢＳ樹脂）、メタクリル樹脂、アセタール樹脂、ポリアミド樹脂、エポキシ樹脂、ポリフェニレンスルフィド樹脂およびポリイミド樹脂からなるグループより選択される一種の樹脂を、切断妨害部材１５の素材として用いることができる。あるいは、上記グループより選択される二種以上の樹脂を含む複合樹脂を用いることができる。
【００２５】
また、ガラス、カーボン（ＤＬＣなど）、金属、セラミック（アルミナセラミック、窒化珪素セラミック、炭化珪素セラミックなど）およびアラミド繊維のグループより選択される一種または二種以上の強化材料（フィラー）を樹脂基材中に内包した強化プラスチックを好適に用いることができる。上記の強化材料を樹脂基材の表面上に定着させたプラスチック材料を用いることができる。また、銅、アルミニウム、チタン、ニッケル等の単体金属、あるいは各種ステンレス鋼などの合金を用いることができる。さらに、ボロン繊維、炭化珪素繊維およびアルミナ繊維のグループから選択される一種または二種以上の高強度繊維を用いることができる。ハサミやカッターの刃先が入り込むことを妨げるという目的からすると、切断妨害部材１５は、カード本体３９のオーバシート３１，３７、コアシート３３、インナシート３５を構成する樹脂素材よりも硬質（たとえばビッカース硬さを基準として）の素材で構成されることが望ましい。上記した強化プラスチック、金属および高強度繊維は、こうした要望を満足するので、薄型電池１Ａの柔軟性を大きく害さない範囲内での使用が特に推奨される。
【００２６】
また、ハサミやカッターの刃先が入り込むことを妨げるという目的からすると、切断妨害部材１５の幅は３．０ｍｍ以上あることが望ましい。カード内でのスペースの問題もあるので幅１０ｍｍ以下に抑えるとよい。また、たとえばＩＳＯ／ＩＥＣ７８１０に規定されたＩＣカードの場合、厚さが約０．７６ｍｍである。また、ＩＳＯカードに限らず、日常に流通しているカードは軒並み１．０ｍｍ以下の厚さしかない。したがって、切断妨害部材１５の厚さとしては０．３ｍｍ以上０．５ｍｍ以下に調整することが、カードの美観を損ねないようにする観点から望ましい。
【００２７】
また、図４に示すごとく、本実施形態においては、切断妨害部材１５の厚さを薄型電池１Ａの最大厚さにほぼ等しく調整している。薄型電池１Ａは最大厚さを持つ中央部分が外周部分よりも凸となっている場合がある。このような形態の薄型電池１Ａは、カードに内蔵する際、凸となった中央部分に荷重が懸かりやすい。本実施形態のごとく、キャビティ３３ａ内での切断妨害部材１５の高さを薄型電池１Ａの高さに一致させることにより、薄型電池１Ａに荷重が集中することを緩和できる。
【００２８】
また、枠形態の切断妨害部材１５に代えて、図５に示すごとく、薄型電池１Ａの周囲に点在する形態で、小片の切断妨害部材１５１をキャビティ３３ａ内（カード本体３３内）に複数配置することが可能である。このような切断妨害部材１５１によれば、たとえば金属やセラミックのように剛性が高い素材を切断妨害部材１５１に用いた場合であっても、ＩＣカード１００の柔軟性を十分に維持することが可能である。もちろん、枠形態の切断妨害部材１５と、点在形態の切断妨害部材１５１とを併用してもよい。
【００２９】
次に、薄型電池１Ａについて説明する。図６は、薄型電池１Ａであるリチウム一次電池１Ａの断面図である。リチウム一次電池１Ａは、全体として方形かつ板状であり、シール材としての枠部材２，３、正極活物質層４、正極集電体６、負極活物質層５、負極集電体７およびセパレータ９を備える。正極集電体６および負極集電体７は、それぞれ、シール材としての枠部材２，３の開口を塞ぐように枠部材２，３に固定されてリチウム一次電池１Ａの外装材を兼ねている。また、正極集電体６および負極集電体７には、それぞれ、電力取出部として帯状のリード端子（図３参照）が一体形成されている。
【００３０】
枠部材２，３は、正極側枠部材２と負極側枠部材３とからなる。正極側枠部材２および負極側枠部材３は向かい合う面で相互に接着されている。枠部材２，３、正極集電体６および負極集電体７によって活物質充填室１０が形成され、その活物質充填室１０にセパレータ９、正極活物質層４および負極活物質層５を収容することにより電池本体部１４が形成されている。また、セパレータ９とは反対側に位置するように、正極集電体６が正極側枠部材２に、負極集電体７が負極側枠部材３にそれぞれ接着されている。これにより、電池本体部１４の気密を保持するシール部１１が形成されている。セパレータ９の周縁部９ｋを負極側枠部材３に固定することにより、活物質充填室１０を正極活物質層４が配置された正極側と、負極活物質層５が配置された負極側とに分断している。活物質充填室１０内において、正極集電体６とセパレータ９との間に正極活物質層４が保持され、負極集電体７とセパレータ９との間に負極活物質層５が保持されている。このような構造とすることにより、集電体６，７をリチウム一次電池１Ａの外装材に兼用することができる。
【００３１】
図６から理解できるように、電池本体部１４は台地状に盛り上がった形状を有している。電池本体部１４の厚さとシール部１１の厚さが相違するので、シール部１１に隣接する電池本体部１４の外周部分に段差が形成されている。
【００３２】
また、図７に示す構造のリチウム一次電池１Ｂを、ＩＣカード１００に内蔵することができる。薄型電池としてのリチウム一次電池１Ｂは、発電要素であるセル２２と、セル２２を包装するラミネート外装材２８，２９とを備え、全体として方形かつ板状の形態を有する。セル２２とラミネート外装材２８，２９は、台地状に盛り上がった部分である電池本体部２４を形成している。また、セル２２の一方の主面側を覆う第一ラミネート外装材２８と、他方の主面側を覆う第二ラミネート外装材２９とが、電池本体部２４の周囲において直接結合し、シール部２１を形成している。セル２２はシート状の形態を有し、正極集電体２６、正極活物質層４、セパレータ９、負極活物質層５および負極集電体２７がこの順番で積層された発電要素である。正極活物質層４と正極集電体２６が正極を構成し、負極活物質層５と負極集電体２７がセパレータ９を介して正極に対向する負極を構成する。
【００３３】
上記したリチウム一次電池１Ａ，１Ｂは、予め切断妨害部材を取り付けた状態で、ＩＣカード１００の組立に供することができる。図８に示すのは、切断妨害部材２５が取り付けられたリチウム一次電池１０Ａの斜視図である。リチウム一次電池１０Ａは、図６および図７で説明したリチウム一次電池１Ａ，１Ｂのシール部１１，２１に切断妨害部材２５を接着固定したものである。切断妨害部材２５で補強することにより、シール部１１，２１には確実に刃が入り難くなる。場合によっては多少の力では刃が入らないようになる。なお、切断妨害部材２５を構成する素材等については、先に説明した通りである。
【００３４】
図９は図８のＢ−Ｂ断面を部分的に拡大した模式図である。図６および図７で説明したように、シール部１１，２１は電池本体部１４，２４よりも薄肉に形成される。切断妨害部材２５は、シール部１１，２１の厚さと電池本体部１４，２４の厚さとの相違に基づく段差が形成されている主面側において、シール部１１，２１の上に配置されている。この配置を採用することにより、電池本体部１４，２４の最大厚さ、ひいてはリチウム一次電池１Ａ，１Ｂの最大厚さを増加させることなく、あるいは殆んど増加させることなく、カード本体３９（図１）の切断時に薄型電池１Ａ，１Ｂが一緒に切断されることを妨害する効果を得ることができる。
【００３５】
また、電池本体部１４，２４の厚さ（最大厚さ）をＤ１とし、シール部１１，２１の厚さと切断妨害部材２５の厚さとの合計厚さをＤ２とすると、図９の実施形態ではＤ１＜Ｄ２である。このような関係を満足するように、シール部１１，２１と、電池本体部１４，２４と、切断妨害部材２５との三者の相対厚さを調整することにより、薄型電池１０Ａがスムーズに切断されることを妨害する効果と、薄型電池１０Ａをカード本体３９内に収容してカード本体３９を加圧したときに電池本体部１４，２４に荷重が集中することを防ぐ効果との双方を得ることができる。これらの効果は、Ｄ１＝Ｄ２となっている場合でも同程度得ることができる。また、Ｄ１＞Ｄ２となっている場合でも、薄型電池１０Ａがスムーズに切断されることを妨害する効果は十分に得られる。電池本体部１４，２４に荷重が集中することを防ぐ効果についても、得ることができないというわけでは無く、効果の度合いが小さいだけである。
【００３６】
また、図１０に示すごとく、シール部１１，２１よりも外側に食み出した枠形態の切断妨害部材２５１をシール部１１，２１に取り付けることができる。切断妨害部材２５１は、一部がシール部１１，２１上に位置し、残部がシール部１１，２１よりも外側に位置している。また、シート状の部品を切断妨害部材２５１としてシール部１１，２１に接着することにより、図１０に示すごとく、シール部１１，２１に沿った断面Ｌ字形状の切断妨害部材２５１を比較的容易に形成することができる。
【００３７】
上記のごとく、切断妨害部材２５１がシール部１１，２１から食み出している場合、面内方向からハサミ等の切断器具の刃が到来したとしても、刃はシール部１１，２１よりも前に必ず切断妨害部材２５１に突き当たる。この結果として、薄型電池１０Ａがスムーズに切断されることを妨害する効果を得ることができる。こうした効果は、図２〜図４で説明した切断妨害部材１５と同様である。また、図１０の実施形態によれば、シール部１１，２１と切断妨害部材２５１とが密着しているので、デッドスペースが生じ難いという利点もある。なお、“面内方向”とは、薄型電池１０Ａの主面（最も広い面）に平行な方向を意味する。
【００３８】
以上の説明においては、カードの機能等については特に言及していないが、光や音声を発する機能を付加したカード、ディスプレイを搭載したカード、ＩＣを搭載したカード、あるいは複数の機能を併せ持ったカードなど、各種カードに本発明の要旨を適用することが可能である。また、リチウム一次電池１Ａ，１Ｂの基本構造を踏襲したリチウムイオン二次電池をカード内蔵用の薄型電池としてもよい。
【００３９】
（第二実施形態）
図１１に示す電池内蔵カードは、薄型電池１Ａの内蔵箇所を避けてマーキングが施されたＩＣカード１０１である。マーキング５１は、当該ＩＣカード１０１に薄型電池１Ａが内蔵されていることをユーザに周知させるとともに、薄型電池１Ａの内蔵箇所を切断することを避けるように注意を喚起する役割を担う。図１１の実施形態において、マーキング５１はカード表面に視認可能に記された印刷部分とされる。また、マーキング５１は、平面視で方形をなすＩＣカード１０１の一辺から対向する他辺に跨って形成することができる。このようなマーキング５１に沿ってＩＣカード１０１を切断する場合には、薄型電池１Ａに切断器具の刃が掛からず、安全である。
【００４０】
図１２は、エンボスを形成したＩＣカード１０２の斜視図である。マーキングとしての役割を担うエンボス５３は、図１１で説明した実施形態と同様に、対向する二辺に跨る形態で形成されている。このようなエンボス５３によれば、ユーザは、使用済みとなったＩＣカード１０２をエンボス５３に沿って折り曲げて安全に切断することが可能である。また、情報漏洩に対する安全性を高めた状態で薄型電池１Ａのみを回収することが可能となる。こうした効果は、図１１のＩＣカード１０１でも同様に得られる。さらには、ＩＣモジュール１７が内蔵されている部分と、薄型電池１Ａが内蔵されている部分とを分離して個別回収するという廃棄形態を採ることが可能となる。なお、エンボス５３に代えて、あるいはエンボス５３とともにマーキングとして機能する貫通孔を形成してもよい。ＩＣカード１０２の縦横に列をなして形成された貫通孔は、エンボス５３と同様に、ＩＣカード１０２が安全に切断されることを補助する。
【００４１】
（第三実施形態）
図１３は電池内蔵カードの他の一つの実施形態のブロック図である。図１３に示すごとく、電池内蔵カードとしてのＩＣカード２００は、薄型電池１Ａ、ＩＣモジュール１７、表示部１９および放電回路部４１を備える。放電回路部４１は、ＩＣカード２００が使用済みとなった場合に薄型電池１Ａを強制的に完全放電させる機能を提供する。
【００４２】
図１４は図１３に示す放電回路部４１の回路図である。放電回路部４１は、薄型電池１Ａに接続されるＩＣモジュール等の機器（負荷）に対して並列に、抵抗Ｒ１および抵抗Ｒ２による直列抵抗と、ＦＥＴ４３によって通電のオンオフが可能である抵抗Ｒ３とを挿入した回路構成を持っている。抵抗Ｒ３の一端が電源（薄型電池１Ａの正極側端子）に接続され多端はＦＥＴ４３のソースに接続されている。ＦＥＴ４３のドレインが接地（薄型電池１Ａの負極側端子）されている。
【００４３】
薄型電池１Ａの容量が十分に残存している状態においては、抵抗Ｒ１と抵抗Ｒ２の中点Ａの電位がＦＥＴ４３のゲートを駆動する。ＦＥＴ４３のソース−ドレイン間が遮断され、薄型電池１Ａの電力は殆んど機器側に流れる。一方、回路図中に示すパターン切断箇所を切断すると、ＦＥＴ４３のゲートがオフに切り替わってＦＥＴ４３のソースとドレインが導通し、抵抗Ｒ３が電力消費を開始する。抵抗Ｒ１，Ｒ２，Ｒ３の大きさを適切に調整することにより、パターン切断箇所が繋がっているカード使用時状態における薄型電池１Ａの放電は極力抑制する一方で、パターン切断箇所が切断されたカード使用済み状態での消費電力を上記カード使用時状態よりも高め、薄型電池１Ａの放電を促進することができる。
【００４４】
たとえば図１５に示すごとく、ＩＣカード２００の隅を折り取ることによってパターン切断箇所で断線するように、放電回路部４１の配線パターン４１ｃを工夫することができる。さらに、第二実施形態で説明したマーキングをＩＣカード２００の隅に形成しておくことにより、ユーザは不要となったＩＣカード２００の隅を折り取りして、薄型電池１Ａの放電を促進することができる。また、ＩＣカード２００の一部にハサミ等の切断器具で切り込みを入れることにより、パターン切断箇所で断線するようにしてもよい。ハサミ等で切れ込みを入れる位置は、マーキングによって記すことができる。また、薄型電池１Ａが小容量の場合（たとえば５０ｍＡｈ以下）には、抵抗Ｒ３を省略して薄型電池１Ａの正極と負極とをＦＥＴ４３を介してショートさせるようにしても問題ない。
【００４５】
また、パターン切断箇所が切断されることを条件として、ＩＣモジュール１７に記録されている情報を消去するプログラムを実行可能なＩＣカード２０１を提案することができる。具体的には、図１６に示すごとく、電圧監視回路部４３１でたとえばＦＥＴ４３のゲート電圧（図１４のＡ点電圧）を常時モニタする。電圧監視回路部４３１はモニタした電圧値もしくはその高低をＩＣモジュール１７に入力する。カードの所定箇所が切断等されてパターン切断箇所で断線が生じると、ＦＥＴ４３のゲート電圧が低下する。電圧監視回路部４３１からの入力により、ＩＣモジュール１７は上記断線を検知するとともに、情報消去用のプログラム（情報消去手段に相当）を起動し、自身が備えるメモリに記録されている個人情報を消去する。このプログラムの実行中においても、ＩＣモジュール１７は薄型電池１Ａより給電を受ける。このような機能をＩＣカード２０１に付与することにより、カード廃棄時における情報漏洩の問題を電池の残存電力の問題と併せて解決することが可能となる。
【００４６】
なお、ＩＣカード２００に内蔵した薄型電池１Ａについても、リチウム一次電池だけでなくリチウムイオン二次電池等の他の種類の電池を使用できることはもちろんである。
【図面の簡単な説明】
【００４７】
【図１】本発明の電池内蔵カードの一実施形態であるＩＣカードのブロック図。
【図２】図１のＩＣカードの分解斜視図。
【図３】図１のＩＣカードの横断面図。
【図４】図１のＩＣカードの縦断面図。
【図５】切断妨害部材の変形例を示す平面模式図。
【図６】薄型電池の断面図。
【図７】他の一つの薄型電池の断面図。
【図８】本発明の薄型電池の斜視図。
【図９】図８の薄型電池の部分断面模式図。
【図１０】切断妨害部材の変形例を示す平面模式図。
【図１１】電池内蔵カードの他の実施形態の斜視図。
【図１２】同じく電池内蔵カードの他の実施形態の斜視図。
【図１３】廃棄対策および切断対策が強化された本発明の電池内蔵カードであるＩＣカードのブロック図。
【図１４】図１３に示す放電回路部の回路図。
【図１５】カードの端を一部切断することにより放電回路部を機能させる実施形態の説明図。
【図１６】情報消去機能を持たせたＩＣカードのブロック図。
【図１】
2006318074.tif 000003
【図２】
2006318074.tif 000004
【図３】
2006318074.tif 000005
【図４】
2006318074.tif 000006
【図５】
2006318074.tif 000007
【図６】
2006318074.tif 000008
【図７】
2006318074.tif 000009
【図８】
2006318074.tif 000010
【図９】
2006318074.tif 000011
【図１０】
2006318074.tif 000012
【図１１】
2006318074.tif 000013
【図１２】
2006318074.tif 000014
【図１３】
2006318074.tif 000015
【図１４】
2006318074.tif 000016
【図１５】
2006318074.tif 000017
【図１６】
2006318074.tif 000018